(57)【要約】【課題】新しい携帯電話の機能を充分に生かした、新規な動画情報のプッシュ型配信方法を提供する。【解決手段】ユーザが、ユーザ管理サーバに対して特定エリアに関する動画配信サービスを希望することを予め登録した場合には、ユーザの携帯電話が、その特定エリアに在圏しているときに、コンテンツサーバから、ユーザの携帯電話へ動画情報をプッシュ型で配信する。あるいは、ユーザが携行する携帯電話が接続される無線チャネルのトラフィックが、予め設定された閾値より低いときに、携帯電話に対して、動画コンテンツサーバから動画情報をプッシュ型で配信する。【選択図】      図１
2004312605.tif 000002
【特許請求の範囲】
【請求項１】
ユーザ登録および動画配信を制御するユーザ管理サーバによる管理の下に、配信すべき動画情報を格納する動画コンテンツサーバからユーザが携行する携帯電話に対して動画情報をプッシュ型で配信する、携帯電話への動画情報のプッシュ型配信方法であって、
ユーザが、前記ユーザ管理サーバに対して、特定エリアに関する動画配信サービスを希望することを予め登録するステップと、
前記ユーザが携行する携帯電話が前記特定エリアに在圏していることを検出するステップと、
前記携帯電話が、前記特定エリアに在圏していることが検出されたときに、前記携帯電話に対して、動画コンテンツサーバから前記特定エリアに関する動画情報をプッシュ型で配信するステップとを含むことを特徴とする携帯電話への動画情報のプッシュ型配信方法。
【請求項２】
ユーザ登録および動画配信を制御するユーザ管理サーバによる管理の下に、配信すべき動画情報を格納する動画コンテンツサーバからユーザが携行する携帯電話に対して動画情報をプッシュ型で配信する、携帯電話への動画情報のプッシュ型配信方法であって、
ユーザが、前記ユーザ管理サーバに対して、動画配信サービスを希望することを予め登録するステップと、
前記ユーザが携行する携帯電話が接続される無線チャネルのトラフィックを検出するステップと、
検出されたトラフィックが、予め設定された閾値より低いときに、前記携帯電話に対して、動画コンテンツサーバから動画情報をプッシュ型で配信するステップとを含むことを特徴とする携帯電話への動画情報のプッシュ型配信方法。
【請求項３】
ユーザ登録および動画配信を制御するユーザ管理サーバによる管理の下に、配信すべき動画情報を格納する動画コンテンツサーバからユーザが携行する携帯電話に対して動画情報をプッシュ型で配信する、携帯電話への動画情報のプッシュ型配信方法であって、
ユーザが、前記ユーザ管理サーバに対して、特定エリアに関する動画配信サービスを希望することを予め登録するステップと、
前記ユーザが携行する携帯電話が、前記特定エリアに在圏していることを検出するステップと、
前記特定エリアに在圏していることが検出されたときの前記携帯電話が接続される無線チャネルのトラフィックを検出するステップと、
検出されたトラフィックが、予め設定された閾値より低いときに、前記携帯電話に対して、動画コンテンツサーバから前記特定エリアに関する動画情報をプッシュ型で配信するステップとを含むことを特徴とする携帯電話への動画情報のプッシュ型配信方法。
【請求項４】
ユーザが携帯電話を使用しているときに、前記動画コンテンツサーバから携帯電話へ動画情報がプッシュ型で配信された場合には、前記携帯電話に配信された動画情報の保存を行わせるステップと、
ユーザが携帯電話を使用していないときに、前記動画コンテンツサーバから携帯電話へ動画情報がプッシュ型で配信された場合には、前記携帯電話に配信された動画を所定の時間だけ表示させた後、動画の表示を停止させかつ前記所定の時間以降に配信された残りの動画情報の保存を行わせるステップと、
ユーザの指示に基づいて、保存した動画情報を表示させるステップとをさらに含むことを特徴とする、請求項１から３のいずれか一項に記載の携帯電話への動画情報のプッシュ型配信方法。
【発明の詳細な説明】
【０００１】
【発明の属する技術分野】
本発明は、携帯電話への動画情報のプッシュ型配信方法に係り、特に、ネットワークを介した携帯電話への動画情報のプッシュ型配信方法に関する。
【０００２】
【従来の技術】
無線通信網に接続された携帯電話（移動機）でのデータサービスは、現在のところ、文字データの送受信が中心となるメールシステムが主な機能となっている。ところが、最近、携帯電話の機能が著しく向上し、動画情報の送受信が可能なものが登場し、その普及が始まっている。
【０００３】
しかしながら、現在行われている動画サービスとしては、特定ユーザ間の動画情報の送受信、または遠隔地の監視などが中心であり、新しい携帯電話の機能を充分に生かしたサービスがそれほど多くないのが実情である。
【０００４】
特に、プッシュ型の動画情報の配信サービス、即ち動画コンテンツサーバから、契約済のユーザ（クライアント）に対して動画情報の配信をプッシュ型で行うサービス態様については、これといった提案がなされておらず、僅かに、ユーザが、サービス提供業者に対して特定ジャンルの動画配信サービスを希望することを予め登録しておいた場合に、このサービス提供業者の動画コンテンツサーバから、ユーザの携帯電話に対して、この特定ジャンルの動画情報をプッシュ型で配信する態様のサービスが実施されているに過ぎない。
【０００５】
なお、本発明の携帯電話への動画情報のプッシュ型配信方法に関する従来技術の情報は、例えば、「立川敬二監修、“Ｗ−ＣＤＭＡ移動通信方式”、平成１３年６月２５日発行、丸善株式会社」に詳しく記載されている。
【０００６】
【非特許文献１】
立川敬二監修、“Ｗ−ＣＤＭＡ移動通信方式”、平成１３年６月２５日発行、丸善株式会社
【０００７】
【発明が解決しようとする課題】
本発明は、新しい携帯電話の機能を充分に生かした、新規な動画情報のプッシュ型配信方法を提供することを目的とする。より詳細には、特定エリアに関する動画情報を、ユーザがその特定エリアに在圏するときにプッシュ型で携帯電話へ配信する方法、携帯電話が接続される無線チャネルのトラフィックが予め設定された閾値より低いときに、動画情報をプッシュ型で携帯電話へ配信する方法、および特定エリアに関する動画情報を、ユーザがその特定エリアに在圏するときであって、かつ携帯電話が接続される無線チャネルのトラフィックが予め設定された閾値より低いときに、プッシュ型で携帯電話へ配信する方法を提供することを目的とする。
【０００８】
【課題を解決するための手段】
本発明の請求項１に係る携帯電話への動画情報のプッシュ型配信方法は、ユーザが、ユーザ管理サーバに対して、特定エリアに関する動画配信サービスを希望することを予め登録するステップと、ユーザが携行する携帯電話が、特定エリアに在圏していることを検出するステップと、携帯電話が特定エリアに在圏していることが検出されたときに、携帯電話に対して、動画コンテンツサーバから特定エリアに関する動画情報をプッシュ型で配信するステップとを含むことを特徴とする。
【０００９】
このような構成を有する請求項１に係る発明では、ユーザは、特定エリアに在圏するときに、例えば、その特定エリアにおけるコマーシャルおよび案内などを配信されることができる。
【００１０】
また、本発明の請求項２に係る携帯電話への動画情報のプッシュ型配信方法は、ユーザが、ユーザ管理サーバに対して、動画配信サービスを希望することを予め登録するステップと、ユーザが携行する携帯電話が接続される無線チャネルのトラフィックを検出するステップと、検出されたトラフィックが、予め設定された閾値より低いときに、携帯電話に対して、動画コンテンツサーバから動画情報をプッシュ型で配信するステップとを含むことを特徴とする。
【００１１】
このような構成を有する請求項２に係る発明では、ユーザ管理サーバは、ユーザに対して、ネットワークに輻輳が少ない時期を選んで動画情報を確実に提供することができる。また、空いているリソースを有効に使用することができるので、低料金でユーザに対してプッシュ型の動画配信サービスを提供することができる。
【００１２】
さらに、本発明の請求項３に係る携帯電話への動画情報のプッシュ型配信方法は、ユーザが、ユーザ管理サーバに対して、特定エリアに関する動画配信サービスを予め登録するステップと、ユーザが携行する携帯電話が、特定エリアに在圏していることを検出するステップと、特定エリアに在圏していることが検出されたときの携帯電話が接続される無線チャネルのトラフィックを検出するステップと、検出されたトラフィックが、予め設定された閾値より低いときに、携帯電話に対して、動画コンテンツサーバから特定エリアに関する動画情報をプッシュ型で配信するステップとを含むことを特徴とする。
【００１３】
このような構成を有する請求項３に係る発明では、ユーザ管理サーバは、ユーザに対して、特定エリアに在圏する場合に、例えば、特定エリアにおけるコマーシャルおよび案内などを、ネットワークに輻輳が少ない時期を選んで確実に配信することができる。また、空いているリソースを有効に使用することができるので、低料金でユーザに対してプッシュ型の動画配信サービスを提供することができる。
【００１４】
また、本発明の請求項４に係る携帯電話への動画情報のプッシュ型配信方法は、ユーザが携帯電話を使用しているときに、動画コンテンツサーバから携帯電話へ動画情報がプッシュ型で配信された場合には、携帯電話に配信された動画情報の保存を行わせるステップと、ユーザが携帯電話を使用していないときに、動画コンテンツサーバから携帯電話へ動画情報がプッシュ型で配信された場合には、携帯電話に配信された動画を所定の時間だけ表示させた後、動画の表示を停止させかつ所定の時間以降に配信された残りの動画情報の保存を行わせるステップと、ユーザの指示に基づいて、保存した動画を表示させるステップとをさらに含むことを特徴とする。
【００１５】
このような態様により、ユーザが携帯電話を使用しており、動画コンテンツサーバから携帯電話へ動画情報がプッシュ型で配信されても、ユーザがその動画を見ることができない場合には、配信された動画情報の保存を行い、その後、ユーザは、動画を見ることができる状態になったときに、保存された動画を見ることができる。また、ユーザが携帯電話を使用しておらず、動画コンテンツサーバから携帯電話へ動画情報がプッシュ型で配信された場合には、ユーザは、配信された動画を所定の時間だけ見ることはできるが、配信された動画情報の表示だけに携帯電話の機能が占有されることを防止するために、この動画情報の表示は所定の時間内に制限される。所定の時間を経過した後に配信された残りの動画情報は保存され、その後、ユーザは、所望であれば保存された残りの動画を見ることができる。
【００１６】
以上により、新しい移動通信システムの携帯電話の特徴を生かして、動画を用いたメールサービス機能（即ち、従来の文字を用いたメールサービス機能を発展させたメールサービス機能）を提供することが可能となる。
【００１７】
【発明の実施の形態】
以下、本発明の携帯電話への動画情報のプッシュ型配信方法の実施形態について、図面を参照して詳細に説明する。
【００１８】
図１は、本発明に係る携帯電話への動画情報のプッシュ型配信方法を実現するシステムの全体構成を示す構成図である。
【００１９】
同図において、本発明に係る動画情報のプッシュ型配信方法を実現するシステムは、配信すべき動画情報を格納する動画コンテンツサーバ１と、動画配信サービスを受けることを希望するユーザの登録および動画配信を制御するユーザ管理サーバ２と、ユーザが携行する携帯電話５と、携帯電話５が接続される無線チャネルのトラフィックを検出するトラフィック監視装置３と、ユーザの事前登録業務を音声ガイダンスにより行う場合に使用される音声自動応答装置４とを備える。
【００２０】
さらに、本発明に係る動画情報のプッシュ型配信方法を実現するシステムは、ネットワークとして、インターネット網１０と、アナログ式電話網のＰＳＴＮ（Ｐｕｂｌｉｃ  Ｓｗｉｔｃｈｅｄ  Ｔｅｌｅｐｈｏｎｅ  Ｎｅｔｗｏｒｋ）２０と、コアネットワークのパケット交換機能を構成するＣＮ（ＰＳ）３０と、コアネットワークの回線交換機能を構成するＣＮ（ＣＳ）４０と、無線アクセスネットワークのＵＴＲＡＮ５０とを構成要素とする。
【００２１】
ＵＴＲＡＮ５０は、既成の一般的なＲＡＮ（Ｒａｄｉｏ  Ａｃｃｅｓｓ  Ｎｅｔｗｏｒｋ）であってもよいし、また、ＵＴＲＡＮ（即ち、第三世代のＲＡＮであるＵＭＴＳ（Ｕｎｉｖｅｒｓａｌ  Ｒａｄｉｏ  Ａｃｃｅｓｓ  Ｎｅｔｗｏｒｋ）地上無線アクセスネットワーク）であってもよいものとする。
【００２２】
以下、プッシュ型配信方法を実現するシステムの機能を構成要素毎に説明する。
【００２３】
動画コンテンツサーバ１は、新らしい動画情報が登録される場合に、ユーザ管理サーバ２に新らしい動画情報の登録を通知すると共に、ユーザ管理サーバ２からの配信指示を受けたタイミングで、インターネット網１０、ＣＮ（ＰＳ）３０またはＣＮ（ＣＳ）４０、及びＵＴＲＡＮ５０を介して、ユーザの携行する携帯電話５に対して動画情報を配信する。この動画情報の配信経路には、ＣＮ（ＰＳ）３０を介する経路と、ＣＮ（ＣＳ）４０を介する経路との二通りの経路があり、どちらの経路を選択すべきかはユーザにより登録された配信経路に基づいてユーザ管理サーバ２によって指示される。
【００２４】
ユーザ管理サーバ２は、ユーザからの登録を受けて、該ユーザとの契約業務およびユーザ登録を行い、また、契約済のユーザ（クライアント）に対する動画情報の配信を制御する。なお、ユーザとの契約業務に際しては、契約時に、ユーザが、ＵＴＲＡＮ５０、ＣＮ（ＣＳ）４０、及び一般的なアナログ式電話網のＰＳＴＮ２０を介して音声ガイダンスに応答することによりユーザ登録を行う方法と、ユーザが、ＵＴＲＡＮ５０とＣＮ（ＰＳ）３０を介してユーザ管理サーバ２が提供するＷＷＷのホームページに接続してユーザ登録行う方法とが可能である。
【００２５】
トラフィック監視装置３は、ＵＴＲＡＮ５０上で携帯電話５が在圏するセルの位置情報を、ＣＮ（ＰＳ）３０またはＣＮ（ＣＳ）４０から、インターネット網１０を介して取得し、携帯電話５が接続される無線チャネルのトラフィックを検出する。
【００２６】
音声自動応答装置４は、ユーザ管理サーバ２が、携帯電話５のユーザとの事前登録業務を行うに際し、契約時にユーザが、携帯電話５を使用して音声ガイダンスにより行えるようにする。この音声ガイダンスによる応答は、一般的なアナログ式電話網のＰＳＴＮ２０と、ＣＮ（ＣＳ）４０、及びＵＴＲＡＮ５０を介してなされる。
【００２７】
携帯電話５は、まず、ユーザ管理サーバ２との間でユーザ登録を行うためのデータの入出力手段として使用され、また、契約後に、動画コンテンツサーバ１からの動画情報の配信サービスを受ける動画情報の受信手段としても使用される。受信した動画情報は、図示しない表示画面に実時間で表示することが可能であり、また、図示しない記憶装置に蓄積保管することも可能である。
【００２８】
図２〜図５は、本発明に係る第１の実施形態の携帯電話への動画情報のプッシュ型配信方法を実現するシステムの動作を説明する流れ図である。
【００２９】
ここでは、ユーザが、ユーザ管理サーバ２に対して、特定エリアに関する動画配信サービスを希望することを予め登録した後の動作を示す。
【００３０】
まず、図２において、ＣＮ（ＣＳ）４０は、携帯電話５が特定エリア（ユーザが動画配信サービスを希望する特定の契約エリア）に入ったか否かを検出する（ステップＳ１）。携帯電話５が特定エリアに入っていなければ、監視を継続する。また、携帯電話５が特定エリアに入った時には、インターネット網１０を介してユーザ管理サーバ２に在圏通知を送信する。
【００３１】
ユーザ管理サーバ２は、この在圏通知を受信し、この在圏通知に示されている特定エリアに関する動画情報が、既に契約ユーザの携帯電話５に配信済か否かを検証する（ステップＳ２）。既に配信済の場合は、そのまま処理を終了する。また、未だ配信されていない場合は、図３に示す動作に移る。
【００３２】
図３において、ユーザ管理サーバ２は、動画配信の準備を行う（ステップＳ１１）。この準備には、配信先であるユーザの携帯電話５の電話番号や、動画情報を配信する経路が、ＰＳサービスであるかまたはＣＳサービスであるかを示す情報を取り出すことが含まれる。
【００３３】
次に、ユーザ管理サーバ２は、登録時に契約された配信方法の指定が、ＰＳサービス（即ち、ＣＮ（ＰＳ）３０を介した配信の指定）であったか否かを検証する（ステップＳ１２）。ＰＳサービスが指定されていなければステップＳ１４に移り、ＰＳサービスによる配信が指定されている場合には、ステップＳ１３にて、当該ユーザの携帯電話５に対して、ＰＳサービスとして特定エリアに関する動画情報を配信せしめるように、動画コンテンツサーバ１に対して配信指示を送出し、動画コンテンツサーバ１からの応答を受信して処理を終了する。なお、このＰＳサービスの指示を受けた時の動画コンテンツサーバ１の具体的動作については図４に示す。
【００３４】
ステップＳ１４では、ユーザ管理サーバ２は、当該ユーザの携帯電話５に対してＣＳサービス（即ち、ＣＮ（ＣＳ）４０を介した配信の指定）として、特定エリアに関する動画コンテンツを配信せしめるように、動画コンテンツサーバ１に対して配信指示を送出し、動画コンテンツサーバ１からの応答を受信して処理を終了する。なお、このＣＳサービスの指示を受けた時の動画コンテンツサーバ１の具体的動作については図５に示す。
【００３５】
図４において、動画コンテンツサーバ１は、当該ユーザの携帯電話５に対して、ＰＳサービスで、特定エリアに関する動画情報を配信する準備を行い（ステップＳ２１）、。当該ユーザの携帯電話５に対して、インターネット網１０を介して動画情報を送信する（ステップＳ２２）。なお、この後、動画コンテンツサーバ１は、ユーザ管理サーバ２に対する応答を行う（図示は省略）。
【００３６】
図５において、動画コンテンツサーバ１は、動画情報を配信する準備を行う（ステップＳ３１）。まず、ＰＳＴＮ２０との間の回線接続を行う（ステップＳ３２）。これを受けて、ＰＳＴＮ２０は、ＣＮ（ＣＳ）４０との回線接続を行い、また、ＣＮ（ＣＳ）４０は、ＵＴＲＡＮ５０との回線接続を行う（ステップＳ３３）。その後、ＵＴＲＡＮ５０は、携帯電話５との回線接続を行う（図示は省略）。これにより、動画コンテンツサーバ１と契約ユーザの携帯電話５との間の回線がつながり、呼接続された状態を得る（ステップＳ３４）。次に、動画コンテンツサーバ１は、ＰＳＴＮ２０に特定エリアに関する動画情報を送信する（ステップＳ３５）。また、ＰＳＴＮ２０は、この動画情報をＣＮ（ＣＳ）４０に送信する（ステップＳ３６）。さらに、ＣＮ（ＣＳ）４０は、この動画情報をＵＴＲＡＮ５０に送信する（ステップＳ３７）。最後に、ＵＴＲＡＮ５０は、この動画情報を契約ユーザの携帯電話５に送信する（図示は省略）。携帯電話５への動画情報の配信が完了すると、この呼接続は切断される（ステップＳ３８）。なお、この後、動画コンテンツサーバ１は、ユーザ管理サーバ２に対する応答を行う（図示は省略）。
【００３７】
この第１の実施形態によれば、ユーザが携行する携帯電話５が、動画配信サービスを受けることを希望する登録した特定エリアに在圏するときに、動画コンテンツサーバ１から、登録したこの特定エリアに関する動画情報が配信されるので、ユーザは、特定エリアに在圏するときに、例えばその特定エリアにおけるコマーシャルおよび案内などを配信されることができる。
【００３８】
図６ａは、本発明に係る携帯電話への動画情報のプッシュ型配信方法を実現するシステムの携帯電話における、動画情報の保存時の動作を説明する流れ図であり、図６ｂは、動画情報の再生時の動作を説明する流れ図である。
【００３９】
図６ａにおいて、携帯電話５は、動画情報がプッシュ型で配信されたときに、携帯電話５が使用されているか否かを検証する（ステップＳ４１）。携帯電話５が、ユーザによって使用されている場合は、直ちに、受信した動画情報を保存する（ステップＳ４３）。また、携帯電話５が、ユーザによって使用されていない場合は、所定の時間だけ配信された動画情報を表示する（ステップＳ４２）。所定の時間が経過しても、動画情報の配信が継続するときには、動画情報の表示を停止し、所定の時間以降に配信された残りの動画情報の保存を行う（ステップＳ４４）。その後、ユーザが、残りの動画情報を見ることを希望する場合には、図６ｂに示される動画情報の再生時の動作によって、保存された残りの動画情報を再生して見ることができる。
【００４０】
この例以外の構成として、例えば、ユーザが、所定の時間が経過した以降も継続して配信された動画情報を電話機能に優先して見ることができるように構成したり、または、配信時に表示することなく常に配信された動画情報を保存するように構成したり、または、所定の時間に満たなくても、ユーザが、配信された動画情報を見ることを打ち切ることができるように構成したり、または、配信された動画情報の表示中に着信があった場合には、動画情報の表示を打ち切り電話機能を実行し、表示打ち切り以降の残りの動画情報を保存するように構成することなども可能である。
【００４１】
図６ｂにおいて、携帯電話５は、ユーザによって再生機能の起動が指定されたか否かを検証する（ステップＳ４５）。再生機能の起動が指定されていない場合は、ユーザによって再生機能が指定されるまで待機し、再生機能の起動が指定されると、保存していた動画情報の再生機能を起動する（ステップＳ４６）。
【００４２】
本発明に係る第２の実施形態の携帯電話への動画情報のプッシュ型配信方法を実現するシステムは、トラフィック監視装置３が必須の構成要素であることを除いて、本発明の第１の実施形態のシステムの構成と同じであり、動画コンテンツサーバ１からの動画情報の配信条件が異なるだけである。
【００４３】
図７および図８は、本発明に係る第２の実施形態の携帯電話への動画情報のプッシュ型配信方法を実現するシステムの動作を示す流れ図である。
【００４４】
ここでは、ユーザが、ユーザ管理サーバ２に対して、動画配信サービスを希望することを予め登録した後の動作を示す。
【００４５】
まず、図７において、動画コンテンツサーバ１は、新らしい動画情報を外部サーバから受け入れた時には、その登録を行う（ステップＳ５１）。次に、この新らしい動画情報の登録が、ユーザ管理サーバ２に通知済か否かを検証する（ステップＳ５２）。通知済でなければ、ユーザ管理サーバ２に通知する。また、通知済であれば、ステップＳ５３に移る。ユーザ管理サーバ２は、動画コンテンツサーバ１から新らしい動画情報の登録通知を受けたか否かを検証し、新らしい動画情報の登録通知を受けるまで待機する（ステップＳ６１）。動画情報の登録通知を受けた場合は、動画コンテンツサーバ１に通知応答を返した後、動画コンテンツサーバ１の制御の流れをステップＳ５３に移す。その後、動画情報の動画配信を準備する（ステップＳ６２）。
【００４６】
ステップＳ６２の実行後、ユーザ管理サーバ２は、登録された動画情報の契約内容が「ＰＳサービス」であったか否かを検証する（ステップＳ６３）。契約内容が「ＰＳサービス」でなければ、ステップＳ７１（図８）に移る。また、契約内容が「ＰＳサービス」であれば、ＣＮ（ＰＳ）３０に対して、インターネット網１０を介して携帯電話５の位置情報取得要求を送信し（ステップＳ６４）、携帯電話５の位置情報を取得する。次に、ユーザ管理サーバ２は、トラフィック監視装置３に対して、取得した携帯電話５の位置情報に基づくトラフィック情報取得要求を送信し（ステップＳ６５）、携帯電話５が接続されている無線チャネルのトラフィック情報を取得する。
【００４７】
次に、ユーザ管理サーバ２は、この取得したトラフィック情報に基づいて、携帯電話５が接続されている無線チャネルのトラフィックが、予め設定された閾値以下であるか否かを検証する（ステップＳ６６）。トラフィックが、予め設定された所定の閾値以下でなければステップＳ７５（図８）に移る。また、トラフィックが、予め設定された所定の閾値以下であれば、動画コンテンツサーバ１に対して、「ＰＳ配信指示（配信先のユーザ毎）」を送出する（ステップＳ６７）。
【００４８】
ステップ７１では、ユーザ管理サーバ２は、ＣＮ（ＣＳ）４０に対して、インターネット網１０を介して携帯電話５の位置情報取得要求を送信し、携帯電話５の位置情報を取得する。次に、ユーザ管理サーバ２は、トラフィック監視装置３に対して、取得した携帯電話５の位置情報に基づくトラフィック情報取得要求を送信し（ステップＳ７２）、携帯電話５が接続されている無線チャネルのトラフィック情報を取得する。
【００４９】
次に、ユーザ管理サーバ２は、この取得したトラフィック情報に基づいて、携帯電話５が接続される無線チャネルのトラフィックが、予め設定された所定の閾値以下であるか否かを検証する（ステップＳ７３）。トラフィックが、予め設定された閾値以下でなければステップＳ７５に移る。また、トラフィックが、予め設定された所定の閾値以下であれば、動画コンテンツサーバ１に対して、「ＣＳ配信指示（配信先のユーザ毎）」を送出する（ステップＳ７４）。
【００５０】
ステップ７５では、全ユーザに対して、動画情報の配信が完了したか否かを検証する。配信が完了していなければステップＳ６３（図７）に戻る。また、配信が完了していればステップＳ６１（図７）に戻る。
【００５１】
ステップＳ５３では、動画コンテンツサーバ１が、通知応答を受信するまで待機しており、通知応答を受信し、かつユーザ管理サーバ２からの「ＰＳ配信指示（配信先のユーザ毎）」を受信したときには、動画情報のＰＳ配信を行い、あるいは、ユーザ管理サーバ２から「ＣＳ配信指示（配信先のユーザ毎）」を受信したときには、動画情報のＣＳ配信を行う。それらの応答（配信先のユーザ毎）を、ユーザ管理サーバ２に返す。このＰＳ配信の具体的動作については、第１の実施形態の図４に示す動作と同じであり、同様にＣＳ配信の具体的動作については、第１の実施形態の図５に示す動作と同じであるので、ここでは説明を省略する。
【００５２】
この第２の実施形態によれば、ユーザ管理サーバ２が、ユーザが携行する携帯電話５の位置情報を、ＣＮ（ＣＰ）３０またはＣＮ（ＣＳ）４０から取得し、さらに、この位置情報に基づき、携帯電話５が接続される無線チャネルにおける動画情報配信の起動時のトラフィックを、トラフィク監視装置３から取得し、このトラフィックが、予め設定されたトラフィックの閾値以下の場合にだけ、動画コンテンツサーバ１から動画情報をプッシュ型で配信することができるので、ユーザに対して、ネットワークに輻輳が少ない時期を選んで動画情報を確実に提供することができる。
【００５３】
本発明に係る第３の実施形態の携帯電話への動画情報のプッシュ型配信方法を実現するシステムは、トラフィック監視装置３が必須の構成要素であることを除いて、本発明の第１の実施形態の携帯電話への動画情報のプッシュ型配信方法を実現するシステムの構成と同じであり、動画コンテンツサーバ１からの動画情報の配信条件が異なるだけである。
【００５４】
図９〜図１１は、本発明に係る第３の実施形態の携帯電話への動画情報のプッシュ型配信方法を実現するシステムの動作を示す流れ図である。
【００５５】
ここでは、ユーザが、ユーザ管理サーバ２に対して、特定エリアに関する動画配信サービスを希望することを予め登録した後の動作を示す。
【００５６】
まず、図９において、ＣＮ（ＣＳ）４０は、携帯電話５が特定エリア（ユーザが動画配信サービスを受けることを希望する特定の契約エリア）に入ったか否かを検出する（ステップＳ８１）。携帯電話５が特定エリアに入っていなければ、監視を継続する。また、携帯電話５が特定エリアに入った時には、インターネット網１０を介してユーザ管理サーバ２に在圏通知を送信する。
【００５７】
ユーザ管理サーバ２は、この在圏通知を受信し、この在圏通知に示されている特定エリアに関する動画情報が、既に契約ユーザの携帯電話５に配信済か否かを検証する（ステップＳ８２）。既に配信済の場合は、そのまま処理を終了する。また、未だ配信されていない場合は、図１０に示す動作に移り、動画情報の配信指示を準備する（ステップＳ８３）。
【００５８】
ステップＳ８３の実行後、ユーザ管理サーバ２は、登録された動画情報の契約内容が「ＰＳサービス」であったか否かを検証する（ステップＳ８４）。契約内容が「ＰＳサービス」でなければ、ステップＳ９１（図１１）に移る。
【００５９】
また、契約内容が「ＰＳサービス」であれば、ＣＮ（ＰＳ）３０に対して、インターネット網１０を介して携帯電話５の位置情報取得要求を送信し（ステップＳ８５）、携帯電話５の位置情報を取得する。次に、ユーザ管理サーバ２は、トラフィック監視装置３に対して、取得した携帯電話５の位置情報に基づきトラフィック情報取得要求を送信し（ステップＳ８６）、携帯電話５が接続される無線チャネルのトラフィック情報を取得する。
【００６０】
次に、ユーザ管理サーバ２は、この取得したトラフィック情報に基づいて、携帯電話５が接続される無線チャネルのトラフィックが、予め設定された閾値以下であるか否かを検証する（ステップＳ８７）。トラフィックが、予め設定された所定の閾値以下でなければ処理を終了する。
【００６１】
また、トラフィックが、予め設定された所定の閾値以下であれば、動画コンテンツサーバ１に対して、「ＰＳ配信指示（配信先のユーザ毎）」を送出する（ステップＳ８８）。
【００６２】
図１１において、ステップ９１で、ＣＮ（ＣＳ）４０に対して、インターネット網１０を介して携帯電話５の位置情報取得要求を送信し、携帯電話５の位置情報を取得する。次に、ユーザ管理サーバ２は、トラフィック監視装置３に対して、取得した携帯電話５の位置情報に基づきトラフィック情報取得要求を送信し（ステップＳ９２）、携帯電話５が接続される無線チャネルのトラフィック情報を取得する。
【００６３】
次に、ユーザ管理サーバ２は、この取得したトラフィック情報に基づいて、携帯電話５が接続された無線チャネルのトラフィックが、予め設定された閾値以下であるか否かを検証する（ステップＳ９３）。トラフィックが、予め設定された所定の閾値以下でなければ終了する。また、トラフィックが、予め設定された所定の閾値以下であれば、動画コンテンツサーバ１に対して、「ＣＳ配信指示（配信先のユーザ毎）」を送出する（ステップＳ９４）。
【００６４】
一方、動画コンテンツサーバ１は、ユーザ管理サーバ２からの「ＰＳ配信指示（配信先のユーザ毎）」を受信したタイミングで、動画情報のＰＳ配信を行い、あるいは、「ＣＳ配信指示（配信先のユーザ毎）」を受信したタイミングで、動画情報のＣＳ配信を行い、その応答（配信先のユーザ毎）を、ユーザ管理サーバ２に返す。なお、このＰＳ配信の具体的動作については、第１の実施形態の図４に示す動作と同じであり、またこのＣＳ配信の具体的動作については、第１の実施形態の図５に示す動作と同じであるので、ここでは説明を省略する。
【００６５】
この第３の実施形態によれば、ユーザが携行する携帯電話が、動画配信サービスを希望する登録した特定エリアに在圏し、かつユーザが携行する携帯電話が接続される無線チャネルのトラフィックが、予め設定された閾値より低いときに、携帯電話に対して、動画コンテンツサーバから特定エリアに関する動画情報がプッシュ型で配信されるので、ユーザは、例えば、特定エリアにおけるコマーシャルおよび案内などを、ユーザが特定エリアに在圏し、かつネットワークに輻輳が少ない時期に確実に配信されることができる。また、空いているリソースが有効に使用されることができるので、低料金でユーザに対してプッシュ型の動画配信サービスを提供することができる。
【００６６】
【発明の効果】
以上説明したように、本発明の携帯電話への動画情報のプッシュ型配信方法によれば、ユーザが携行する携帯電話が、動画配信サービスを希望する登録した特定エリアに在圏する場合に、動画コンテンツサーバから、登録した特定エリアに関する動画情報が配信されるので、ユーザは、例えば、特定エリアにおけるコマーシャルおよび案内などを配信されることができる。
【００６７】
また、ユーザが携行する携帯電話が接続される無線チャネルのトラフィックが、予め設定された閾値より低いときに、携帯電話に対して、動画コンテンツサーバから動画情報がプッシュ型で配信されるので、ユーザに対して、ネットワークに輻輳が少ない時期を選んで動画コンテンツを確実に提供することができる。また、空いているリソースを有効に使用することができるので、低料金でユーザに対してプッシュ型の動画配信サービスを提供することができる。
【００６８】
さらに、ユーザが携行する携帯電話が、動画配信サービスを希望する登録した特定エリアに在圏し、かつユーザが携行する携帯電話が接続される無線チャネルのトラフィックが、予め設定された閾値より低いときに、携帯電話に対して、動画コンテンツサーバから特定エリアに関する動画情報がプッシュ型で配信されるので、ユーザは、例えば、特定エリアにおけるコマーシャルおよび案内などを、ユーザが特定エリアに在圏し、かつネットワークに輻輳が少ない時期を選んで配信することができる。また、空いているリソースを有効に使用することができるので、低料金でユーザに対してプッシュ型の動画配信サービスを提供することができる。
【００６９】
また、ユーザが携帯電話を使用しており、動画コンテンツサーバから携帯電話へ動画情報がプッシュ型で配信されても、その動画を見ることができない場合には、配信された動画情報の保存を行い、その後、ユーザが、動画を見ることができる状態になったときに、保存された動画を見ることができる。また、ユーザが携帯電話を使用しておらず、動画コンテンツサーバから携帯電話へ動画情報がプッシュ型で配信された場合には、ユーザは、配信された動画を所定の時間だけ見ることはできるが、配信された動画情報の表示だけに携帯電話の機能が占有されることを防止するために、この動画情報の表示は所定の時間内に制限される。所定の時間を経過した後に配信された残りの動画情報は保存され、その後、ユーザは、所望であれば、保存された残りの動画を見ることができる。
【００７０】
以上の効果により、新しい移動通信システムの携帯電話の特徴を生かして、動画を用いたメールサービス機能（即ち、従来の文字を用いたメールサービス機能を発展させたメールサービス機能）を提供することが可能となる。
【図面の簡単な説明】
【図１】本発明に係る第１の実施形態の携帯電話への動画情報のプッシュ型配信方法を実現するシステムの全体構成を示す構成図である。
【図２】本発明に係る第１の実施形態の携帯電話への動画情報のプッシュ型配信方法を実現するシステムの動作を説明する流れ図の一部である。
【図３】本発明に係る第１の実施形態の携帯電話への動画情報のプッシュ型配信方法を実現するシステムの動作を説明する流れ図の一部である。
【図４】本発明に係る第１の実施形態の携帯電話への動画情報のプッシュ型配信方法を実現するシステムの動作を説明する流れ図の一部である。
【図５】本発明に係る第１の実施形態の携帯電話への動画情報のプッシュ型配信方法を実現するシステムの動作を説明する流れ図の一部である。
【図６ａ】本発明に係る携帯電話への動画情報のプッシュ型配信方法を実現するシステムの携帯電話における動画情報の保存時の動作を説明する流れ図である。
【図６ｂ】本発明に係る携帯電話への動画情報のプッシュ型配信方法を実現するシステムの携帯電話における動画情報の再生時の動作を説明する流れ図である。
【図７】本発明に係る第２の実施形態の携帯電話への動画情報のプッシュ型配信方法を実現するシステムの動作を示す流れ図の一部である。
【図８】本発明に係る第２の実施形態の携帯電話への動画情報のプッシュ型配信方法を実現するシステムの動作を示す流れ図の一部である。
【図９】本発明に係る第３の実施形態の携帯電話への動画情報のプッシュ型配信方法を実現するシステムの動作を示す流れ図の一部である。
【図１０】本発明に係る第３の実施形態の携帯電話への動画情報のプッシュ型配信方法を実現するシステムの動作を示す流れ図の一部である。
【図１１】本発明に係る第３の実施形態の携帯電話への動画情報のプッシュ型配信方法を実現するシステムを実現するシステムの動作を示す流れ図の一部である。
【符号の説明】
１  動画コンテンツサーバ
２  ユーザ管理サーバ
３  トラフィック監視装置
４  音声自動応答装置
５  携帯電話
１０  インターネット網
２０  ＰＳＴＮ
３０  ＣＮ（ＰＳ）
４０  ＣＮ（ＣＳ）
５０  ＵＴＲＡＮ（無線アクセスネットワーク）
【図１】
2004312605.tif 000003
【図２】
2004312605.tif 000004
【図３】
2004312605.tif 000005
【図４】
2004312605.tif 000006
【図５】
2004312605.tif 000007
【図６ａ】
2004312605.tif 000008
【図６ｂ】
2004312605.tif 000009
【図７】
2004312605.tif 000010
【図８】
2004312605.tif 000011
【図９】
2004312605.tif 000012
【図１０】
2004312605.tif 000013
【図１１】
2004312605.tif 000014